(57)【要約】【課題】田面において種籾が播かれた部分や苗が植え付けられた部分に貝類が侵入し難いようにする水田における貝類の被害防止方法を得る。【解決手段】水田の畦際に沿って明渠４を形成し、明渠４の水田の中央側部分に沿って明渠保護部８を設定する。明渠保護部８から水田の中央側の田面１に対して、田面１を均平化する代掻き作業を行う。【選択図】図２
2014090668.tif 000002
【特許請求の範囲】
【請求項１】
水田の畦際に沿って明渠を形成し、前記明渠の水田の中央側部分に沿って明渠保護部を設定して、
前記明渠保護部から水田の中央側の田面に対して、田面を均平化する代掻き作業を行う水田における貝類の被害防止方法。
【請求項２】
前記代掻き作業の後において、田面に種籾を播く播種作業を行う請求項１に記載の水田における貝類の被害防止方法。
【請求項３】
前記明渠保護部が、前記明渠から水田の中央側に所定距離だけ離れた位置と前記明渠との間の田面の部分である請求項１又は２に記載の水田における貝類の被害防止方法。
【請求項４】
前記明渠保護部が、前記明渠の水田の中央側部分に沿って形成された目印である請求項１又は２に記載の水田における貝類の被害防止方法。
【請求項５】
前記目印が、田面の泥を山状又は土手状に田面から上方に突出させて形成したものである請求項４に記載の水田における貝類の被害防止方法。
【発明の詳細な説明】
【技術分野】
【０００１】
本発明は、水田において、根部が水面下に位置する植物を食する貝類（スクミリンゴガイ（通称・ジャンボタニシ））による被害（食害）を防止する方法に関する。
【背景技術】
【０００２】
例えば種籾を田面に播いたり（播種作業）、乳苗や幼苗等の軟らかい苗を田面に植え付ける場合（植付作業）、水田にかん水（田面の全てが水で覆われるように、水田に十分に水を入れる状態）して、かん水状態において田面を均平化する代掻き作業を行う。次に水田を落水（水田から完全に水を抜くのではなく、田面に僅かに水が残る程度まで水を抜く状態）して、落水状態の田面に播種作業や植付作業を行うのであり、次に水田にかん水して、かん水状態を維持し、種籾の発芽や苗の生長を行わせる。
【０００３】
これに対し近年では九州地方や中国、四国地方等の比較的温暖な地域の水田において、根部が水面下に位置する植物を食する貝類（スクミリンゴガイ（通称・ジャンボタニシ））による被害（食害）が増えてきている。
一般に前述のような貝類は、畦の外側に位置する水路から取水路を介して水田に水を供給してかん水する際に、取水路から水田に侵入することが多い。このように貝類が水田に侵入した場合、かん水状態を維持し種籾の発芽及び苗の生長を行わせると、貝類がかん水状態の水田を移動して発芽した芽や軟らかい苗を食べてしまうのである。
【０００４】
前述の貝類の食害に対して、特許文献１に開示されているように、薬剤により貝類を駆除することが提案されている。特許文献２に開示されているように、網カゴの中に誘引物質（餌）を入れた捕獲具を水田の中央側の各所に設置して、捕獲具により貝類を捕獲することが提案されている。
【先行技術文献】
【特許文献】
【０００５】
【特許文献１】特開２００５−６０３３９号公報
【特許文献２】実用新案登録第３０７０７４８号
【発明の概要】
【発明が解決しようとする課題】
【０００６】
しかしながら、特許文献１のように薬剤により貝類を駆除する場合、薬剤を多量に使用することは水田の環境保全という面から好ましくない。
特許文献２では貝類を駆除する薬剤を使用しないので、水田の環境保全という面では好ましいのであるが、比較的大きな捕獲具を水田の中央側の各所に設置すると、捕獲具の設置部分に播種作業や植付作業を行うことができない（播種作業や植付作業を行っても、捕獲具に邪魔されて種籾が発芽できず苗が生長することができない）ことになるので、稲の収量が減少することが考えられる。
【０００７】
本発明は、特許文献１，２とは少し視点を変えて、田面において種籾が播かれた部分や苗が植え付けられた部分に貝類が侵入し難いようにすることにより、特許文献１，２のような貝類の駆除や捕獲を行うことが少なくなるような水田における貝類の被害防止方法を得ることを目的としている。
【課題を解決するための手段】
【０００８】
［Ｉ］
（構成）
本発明の第１特徴は、水田における貝類の被害防止方法において次のように構成することにある。
水田の畦際に沿って明渠を形成し、前記明渠の水田の中央側部分に沿って明渠保護部を設定して、
前記明渠保護部から水田の中央側の田面に対して、田面を均平化する代掻き作業を行う。
【０００９】
（作用及び発明の効果）
［Ｉ］−１
本発明の第１特徴のように、水田の畦際に沿って明渠を形成しておくと、畦の外側に位置する水路から取水路を介して水田に水を供給してかん水する場合、水は取水路から明渠に入り、明渠から水田の中央側に流れていくのであり、貝類が取水路から水田に侵入する場合に、貝類は取水路から明渠に侵入する。
一般に水田において貝類は、水が十分にない部分を嫌がり、水が十分にある部分に集まる習性がある。そして、明渠は田面よりも十分に深いものであり、明渠には田面よりも十分に水がある。
【００１０】
これにより、本発明の第１特徴によると、水田にかん水する場合に、貝類は明渠に集まり、明渠から水田の中央側に侵入することは少なくなるのであり、貝類が発芽した芽や軟らかい苗を食べてしまうことが少なくなる。
前述のように、貝類が明渠に集まり明渠から水田の中央側に侵入することが少なくなると、貝類を駆除する薬剤を水田の中央側に散布したり、貝類を捕獲する捕獲具を水田の中央側に設置したりする必要が少なくなるので、薬剤の使用量を抑えることができるのであり、捕獲具の設置により稲の収量が減少することが避けられる。
さらに、貝類が明渠に集まると、明渠に集まった貝類を畦から容易に回収して駆除することができる。貝類を駆除する薬剤を水田に散布するとしても、明渠に集まった貝類に対して畦から薬剤を容易に散布することができるのであり、少ない薬剤により貝類の駆除が行える。
【００１１】
［Ｉ］−２
一般に播種作業や植付作業の前に、代掻き作業を行う。
例えば乗用型作業機の後部に代掻き装置を装備して代掻き作業を行う場合、畦に沿って乗用型作業機を走行させながら代掻き作業を行うのであり、乗用型作業機が畦際に達して一回の代掻き工程を終了すると、畦際での旋回を行う。次に前回の代掻き工程と平行に乗用型作業機を走行させながら次の代掻き工程を行う。このように直進（代掻き工程）と畦際での旋回とを繰り返して、代掻き作業を行う。
【００１２】
前述のように乗用型作業機を使用して代掻き作業を行う場合、前項［Ｉ］−１に記載のように、水田の畦際に沿って明渠を形成しておくと、畦際に沿って走行する際に乗用型作業機の代掻き装置の横側部により明渠を崩してしまう可能性があり、畦際で旋回する際に乗用型作業機の前輪又は後輪により明渠を崩してしまう可能性がある。
【００１３】
本発明の第１特徴によると、明渠の水田の中央側部分に沿って明渠保護部を設定しているので、乗用型作業機の代掻き装置の横側部が明渠保護部の位置又は明渠保護部よりも水田の中央側の位置に位置するように畦に沿って走行したり、乗用型作業機の前輪及び後輪が明渠保護部の位置又は明渠保護部よりも水田の中央側の位置に位置するように畦際で旋回すれば、乗用型作業機の代掻き装置や前輪又は後輪が明渠に達することは少なく、代掻き作業において乗用型作業機の代掻き装置や前輪又は後輪により明渠を崩してしまうことが少なくなる。
【００１４】
［Ｉ］−３
前項［Ｉ］−１，２に記載のように、本発明の第１特徴によると、貝類の習性を踏まえたうえで、代掻き作業において明渠を崩れ難くしながら、貝類が明渠に集まり明渠から水田の中央側に侵入し難くすることにより、薬剤や捕獲具の使用を抑えながら貝類の被害を防止して、稲の収量の増加を図ることができる。
【００１５】
［ＩＩ］
（構成）
本発明の第２特徴は、本発明の第１特徴の水田における貝類の被害防止方法において次のように構成することにある。
前記代掻き作業の後において、田面に種籾を播く播種作業を行う。
【００１６】
（作用及び発明の効果）
［ＩＩ］−１
一般に水田において貝類は、発芽した芽や少し生長した軟らかい苗を好んで食べ、種籾やある程度生長した苗は好まない習性がある（種籾やある程度生長した苗は比較的硬い為と考えられる）。
これにより、田面に播かれた種籾と、田面に植え付けられた苗とを比較した場合、田面に播かれた種籾が発芽してある程度成長するまでの期間（貝類が好んで食べる期間）が、田面に植え付けられた苗がある程度生長するまでの期間（貝類が好んで食べる期間）よりも長いので、播種作業を行う場合の方が貝類の被害を受け易い。
従って、播種作業を行う場合において、前項［Ｉ］−１に記載のように水田の畦際に沿って明渠を形成しておくとは、貝類の被害を防止するという面から有効である。
【００１７】
［ＩＩ］−２
例えば機体の後部に直播装置を装備した乗用型直播機を使用して播種作業を行う場合、畦に沿って乗用型直播機を走行させながら田面に種籾を播いて播種工程を行うのであり、乗用型直播機が畦際に達して一回の播種工程を終了すると、畦際での旋回を行う。次に前回の播種工程と平行に乗用型直播機を走行させながら次の播種工程を行う。このように直進（播種工程）と畦際での旋回とを繰り返して、播種作業を行う。
【００１８】
播種作業は落水状態で行うので、前項［Ｉ］−１に記載のように水田の畦際に沿って明渠を形成しておいた場合、播種作業において明渠は露出しており、乗用型直播機の運転者が明渠を目視することは比較的容易であるが、乗用型直播機の運転者の見落とし等により、播種作業において明渠を崩してしまう可能性がある。
前項［Ｉ］−２の記載と同様に、畦際に沿って走行する際に直播装置の横側部により明渠を崩してしまう可能性があり、畦際で旋回する際に乗用型直播機の前輪又は後輪により明渠を崩してしまう可能性がある。
【００１９】
本発明の第２特徴によると、明渠の水田の中央側部分に沿って明渠保護部を設定しているので、前項［Ｉ］−２に記載のように乗用型直播機の直播装置の横側部が明渠保護部の位置又は明渠保護部よりも水田の中央側の位置に位置するように畦に沿って走行したり、乗用型直播機の前輪及び後輪が明渠保護部の位置又は明渠保護部よりも水田の中央側の位置に位置するように畦際で旋回すれば、乗用型直播機の直播装置や前輪又は後輪が明渠に達することは少なく、播種作業において乗用型直播機の直播装置や前輪又は後輪により明渠を崩してしまうことが少なくなる。
【００２０】
［ＩＩＩ］
（構成）
本発明の第３特徴は、本発明の第１又は第２特徴の水田における貝類の被害防止方法において次のように構成することにある。
前記明渠保護部が、前記明渠から水田の中央側に所定距離だけ離れた位置と前記明渠との間の田面の部分である。
【００２１】
（作用及び発明の効果）
本発明の第３特徴によると、前項［Ｉ］−２及び［ＩＩ］−２に記載のように、畦に沿って走行する場合や畦際で旋回する場合、明渠から水田の中央側に所定距離だけ離れた位置と明渠との間の田面の部分が明渠保護部であるので、乗用型作業機（乗用型直播機）の代掻き装置（直播装置）や前輪及び後輪を、明渠保護部の位置又は明渠保護部よりも水田の中央側の位置に位置させることにより、乗用型作業機（乗用型直播機）の代掻き装置（直播装置）や前輪及び後輪を明渠から離れた位置に位置させることが容易に行える。
これにより、代掻き作業（播種作業）において、乗用型作業機（乗用型直播機）の代掻き装置（直播装置）や前輪又は後輪により明渠を崩してしまうことが少なくなる。
【００２２】
［ＩＶ］
（構成）
本発明の第４特徴は、本発明の第１又は第２特徴の水田における貝類の被害防止方法において次のように構成することにある。
前記明渠保護部が、前記明渠の水田の中央側部分に沿って形成された目印である。
【００２３】
（作用及び発明の効果）
本発明の第４特徴によると、前項［Ｉ］−２及び［ＩＩ］−２に記載のように、畦に沿って走行する場合や畦際で旋回する場合、乗用型作業機（乗用型直播機）の代掻き装置（直播装置）や前輪及び後輪を、明渠保護部の位置又は明渠保護部よりも水田の中央側の位置に位置させる際、乗用型作業機（乗用型直播機）の運転者が目印（明渠保護部）を目視することにより明渠の位置を認識しながら、乗用型作業機（乗用型直播機）の操向操作を行うことができるので、乗用型作業機（乗用型直播機）の代掻き装置（直播装置）や前輪及び後輪を明渠から離れた位置に位置させることが容易に行える。
これにより、代掻き作業（播種作業）において、乗用型作業機（乗用型直播機）の代掻き装置（直播装置）や前輪又は後輪により明渠を崩してしまうことが少なくなる。
【００２４】
［Ｖ］
（構成）
本発明の第５特徴は、本発明の第４特徴の水田における貝類の被害防止方法において次のように構成することにある。
前記目印が、田面の泥を山状又は土手状に田面から上方に突出させて形成したものである。
【００２５】
（作用及び発明の効果）
前項［ＶＩ］に記載のように目印（明渠保護部）を田面に設ける場合、本発明の第５特徴によると、田面の泥を山状又は土手状に田面から上方に突出させて形成することにより目印を得ているので、立て札等の部材を目印として使用する必要がなく、コストの面で有利なものとなる。
【図面の簡単な説明】
【００２６】
【図１】明渠を形成し（明渠形成工程）、明渠保護部を設定した後に代掻き作業を行った状態を示す水田の平面図である。
【図２】明渠を形成し（明渠形成工程）、明渠保護部を設定した後に代掻き作業を行った状態を示す水田の断面図である。
【図３】図１及び図２の後に水田を落水して、落水状態で種籾を播き（第１工程）、排水用の溝を形成した状態（溝形成工程）を示す水田の平面図である。
【図４】図１及び図２の後に水田を落水して、落水状態で種籾を播き（第１工程）、排水用の溝を形成した状態（溝形成工程）を示す水田の断面図である。
【図５】図３及び図４の後に水田にかん水した状態（第２工程）を示す水田の断面図である。
【図６】図５の後に水田を落水した状態（第３工程）を示す水田の断面図である。
【図７】図６の後に水田にかん水した状態（第４工程）を示す水田の断面図である。
【図８】図１及び図２の後に水田を落水して、落水状態で種籾を播き（第１工程）、排水用の溝を形成した状態（溝形成工程）を示す水田の斜視図である。
【図９】発明の実施の第１別形態において、明渠を形成し、明渠保護部を設定した状態を示す水田の断面図である。
【図１０】発明の実施の第１別形態において、明渠を形成し、明渠保護部を設定した状態を示す水田の断面図である。
【図１１】発明の実施の第８別形態において、明渠及び排水用の溝を形成した状態を示す水田の平面図である。
【図１２】発明の実施の第８別形態において、明渠及び排水用の溝を形成した状態を示す水田の平面図である。
【発明を実施するための形態】
【００２７】
図１〜図８に稲の直播栽培方法が示されている。この稲の直播栽培方法は、明渠形成工程、第１工程、溝形成工程、第２工程、第３工程、第４工程を主たる工程として備えており、明渠形成工程、第１工程及び溝形成工程において、本発明の水田における貝類の被害防止方法が含まれている。以下に、各工程について説明する。
一般に水田において貝類は、水が十分にない部分を嫌がり、水が十分にある部分に集まる習性がある。そして、発芽した芽や少し生長した軟らかい苗を好んで食べ、種籾やある程度生長した苗は好まない習性がある（種籾やある程度生長した苗は比較的硬い為と考えられる）。
【００２８】
［１］
（明渠形成工程）
水田にかん水する前の泥が少し乾いて硬くなっている状態において、図１及び図２に示すように畦塗り作業を行い、水田において畦３に近接する外周部分である畦際において、明渠４を畦３に沿って水田の全周囲に亘って形成する。明渠４は断面凹状又は断面半円状の深い溝であり、明渠４の深さは田面１から２００〜３００ｍｍ程度に設定する（明渠形成工程）。
この場合、畦塗り装置に明渠形成装置を備えて、畦塗り作業と同時に明渠４を形成したり、畦塗り装置とは別の明渠形成装置により明渠４を畦塗り作業の前又は後に行ってもよい。
【００２９】
図１及び図２に示すように、明渠４を形成した後、明渠４から水田の中央側に所定距離だけ離れた位置Ａ１と明渠４との間の田面１の部分を明渠保護部８として、明渠保護部８を明渠４の水田の中央側部分に沿って明渠４の全周囲に亘って設定する。
この場合、畦３から位置Ａ１までの距離（明渠４の幅と明渠保護部８の幅との和）は、例えば５００ｍｍ程度に設定する。後述するトラクタや乗用型直播機の運転者は、畦３から水田の中央側に所定距離（例えば前述の５００ｍｍ）の範囲に、明渠４と明渠保護部８とが存在することを憶えておく。
【００３０】
図１及び図２に示すように、畦３の外側に水路９が形成され、水路９と水田（明渠４）とを接続する取水路１０が畦３に形成されている。これにより、取水路１０を開いて水路９及び取水路１０から水を明渠４に供給し、水が明渠４から水田の中央側に流れていくようにして、水田にかん水（田面１の全てが水（水面２）で覆われるように、水田に十分に水を入れる状態）する。
この場合、貝類が水路９及び取水路１０から水田（明渠４）に侵入しても、貝類は明渠４に集まり、明渠４から水田の中央側に侵入することは少ない。
【００３１】
次に、かん水状態において、代掻き装置を機体の後部に装備したトラクタにより田面１を均平化する代掻き作業を行う。
トラクタの運転者は、トラクタの代掻き装置の横側部が明渠保護部８の位置又は明渠保護部８よりも水田の中央側の位置に位置するように畦に沿って走行したり、トラクタの前輪及び後輪が明渠保護部８の位置又は明渠保護部８よりも水田の中央側の位置に位置するように畦際で旋回すれば、トラクタの代掻き装置や前輪又は後輪が明渠４に達することは少なく、代掻き作業においてトラクタの代掻き装置や前輪又は後輪により明渠４を崩してしまうことが少なくなる。
明渠保護部８に対するトラクタの代掻き装置や前輪及び後輪の位置により、明渠保護部８が代掻きを受ける状態が生じたり、明渠保護部８が代掻きを受けない状態が生じたりする（以上、水田における貝類の被害防止方法に相当）。
【００３２】
［２］
（第１工程及び溝形成工程）
次に排水路（図示せず）を開いて、水田を落水（水田から完全に水を抜くのではなく、田面１に僅かに水が残る程度まで水を抜く状態（明渠４には十分な水が残る））し、落水状態の水田（田面１）において、機体の後部に直播装置を装備した乗用型直播機により種籾６を播く（播種作業）（第１工程）。
図３，４，８に示す状態は、鉄コーティング処理された種籾６を使用した状態であり、田面１の上方から種籾６を自由落下させて田面１の表面に置くように種籾６を播く表面播き状態を示しており、複数粒の種籾６を所定間隔を置いて播く点播状態を示している。
【００３３】
乗用型直播機の直播装置に除草剤散布用の薬剤散布装置及び溝切り器を備えて、種籾６を播きながら、田面１への除草剤の散布及び排水用の溝５の形成を行う。排水用の溝５は断面Ｖ字状で、明渠４よりも十分に浅いものである（田面１から１００ｍｍ程度の深さ）（溝形成工程）。
【００３４】
この場合、明渠形成装置に除草剤散布用の薬剤散布装置を備えて、前項［１］に記載のように、明渠４の形成を行いながら、除草剤の散布を行うようにしてもよい。明渠４の形成の後で水田のかん水の前、又は水田のかん水の後で代掻き作業の前、又は代掻き作業の後で第１工程の前に、作業者が手で除草剤に散布を行ってもよい。
【００３５】
乗用型直播機による種籾６の播種作業を行う場合、畦３に沿った一回の播種工程が終了すると、直播装置を田面１から上昇させて畦際での旋回を行い、畦際での旋回の終了後に直播装置を田面１に下降させて次の播種工程に入る。
乗用型直播機の運転者は、乗用型直播機の直播装置の横側部が明渠保護部８の位置又は明渠保護部８よりも水田の中央側の位置に位置するように畦に沿って走行したり、乗用型直播機の前輪及び後輪が明渠保護部８の位置又は明渠保護部８よりも水田の中央側の位置に位置するように畦際で旋回すれば、乗用型直播機の直播装置や前輪又は後輪が明渠４に達することは少なく、播種作業において乗用型直播機の直播装置や前輪又は後輪により明渠４を崩してしまうことが少なくなる。
明渠保護部８に対する乗用型直播機の直播装置や前輪及び後輪の位置により、種籾６が明渠保護部８に播かれる状態が生じたり、種籾６が明渠保護部８に播かれない状態が生じたりする（以上、水田における貝類の被害防止方法に相当）。
【００３６】
前述のように乗用型直播機による畦際での旋回を行えば、明渠４と排水用の溝５とがつながらないことがあるので、第１工程の終了後、作業者が手作業で明渠４と排水用の溝５とがつながるように、排水用の溝５を明渠４まで延ばしたり、崩れた明渠４を修復したりする。
【００３７】
［３］
（第２工程）
第１工程の次に図５に示すように、取水路１０（図１参照）を開いて水路９及び取水路１０から水を明渠４に供給し、水が明渠４から水田の中央側に流れていくようにして、水田にかん水し、かん水状態を第１所定期間だけ維持する（第２工程）。このように第１工程の後に水田にかん水することにより、雑草の発生を抑えることができるのであり、前項［２］に記載のようにして散布されていた除草剤が水田の各部に均一に広がることになるので、除草剤により雑草の発生を有効に抑えることができる。
【００３８】
この場合、貝類が水路９及び取水路１０から水田（明渠４）に侵入しても、貝類は明渠４に集まり、明渠４から水田の中央側に侵入することは少ない。一部の貝類が明渠４から水田の中央側に侵入したとしても、種籾６はまだ発芽していないので、貝類による被害（食害）は発生し難い（貝類は種籾を好まない）。第１所定期間は、播種から種籾６が発芽する少し前までの期間であり、例えば九州地方等のように比較的温暖な地域（比較的温暖な日程）では、第１所定期間として４日程度が目安となる。
【００３９】
鉄コーティング処理された種籾６を使用する場合、乗用型直播機の直播装置の播種による機械的な衝撃を受けても崩壊しない種籾６の強度及び鉄コーティングの強度を備えており、水に触れても崩壊しない鉄コーティングの強度を備えている。
第２工程において、水が鉄コーティングに浸入するのであり、侵入した水及び積算温度（気温とその気温が維持された時間との積を播種後から積算したもの）の上昇により、催芽状態になった種籾６が鉄コーティングを割り、その後の水の作用により種籾６から鉄コーティングが剥がれる。
【００４０】
［４］
（第３工程）
第２工程の次に種籾６が発芽する状態になると、図６に示すように排水路（図示せず）を開いて、水田を落水する。この場合、明渠４よりも浅い排水用の溝５を明渠４に接続させて水田の中央側に形成しているので、排水用の溝５を介して水田の中央側の水を明渠４に円滑に案内することができるのであり、水田の中央側に水が十分にある部分が残るような状態を少なくすることができる。
【００４１】
この後、落水状態を第２所定期間だけ維持するのであり（第３工程）、第２所定期間において種籾６を発芽させて、ある程度まで苗を生長させる（貝類が好まない状態まで苗を生長させる）。
第３工程において、貝類が好む発芽した芽や少し生長した軟らかい苗が存在する状態となるが、落水により種籾６（苗）の周囲は水が十分にない状態となり、明渠４に十分な水が残る状態となる。これにより、前項［３］において水田にかん水した際に、一部の貝類が明渠４から水田の中央側に侵入していたとしても、この貝類は明渠４に戻ると予想されるので、貝類が種籾６（苗）に接近することは少なく、貝類による被害（食害）は発生し難い（貝類が発芽した芽や少し生長した軟らかい苗を食べることは少ない）。
【００４２】
一般に、ある程度生長した苗（貝類が好まない状態まで生長した苗）とは、第１，２，３葉が出てきて、背丈が約７０ｍｍ〜１５０ｍｍ程度に生長した苗であり、比較的温暖な地域（比較的温暖な日程）では発芽から約１週間程度（第２所定期間）、あまり温暖でない地域（あまり温暖でない日程）では発芽から約２〜３週間程度（第２所定期間）の日数が必要と考えられる。
【００４３】
［５］
（第４工程）
第３工程において、種籾６を発芽させてある程度まで苗を生長させると（貝類が好まない状態まで苗を生長させると）、図７に示すように水田にかん水して（第４工程）、雑草の発生を抑える。
【００４４】
この場合、貝類が水路９及び取水路１０から水田（明渠４）に侵入しても、貝類は明渠４に集まり、明渠４から水田の中央側に侵入することは少ない。一部の貝類が明渠４から水田の中央側に侵入したとしても、ある程度生長した苗は比較的硬いので、貝類による被害（食害）は発生し難い（貝類はある程度生長した苗を好まない）。
【００４５】
［発明の実施の第１別形態］
前述の［発明を実施するための形態］の図１及び図２において、明渠４から水田の中央側に所定距離だけ離れた位置Ａ１と明渠４との間の田面１の部分を、明渠保護部８として設定することに代えて、以下に説明する図９及び図１０に示すようにしてもよい。
【００４６】
図９に示すように、明渠４の水田の中央側部分に沿って、平板材や棒材の目印１１を明渠保護部８として設けてもよい。この場合、目印１１は水面２よりも上方に突出するように田面１に差し込むのであり、目印１１を明渠４の水田の中央側部分に沿って連続的又は所定間隔を置いて設置する。
【００４７】
図９に示す平板材や棒材の目印１１に代えて、図１０に示すように、田面１の泥を山状又は土手状に田面１から上方に突出させることにより、目印１１を形成してもよい。この場合、目印１１は水面２よりも上方に突出するように田面１に形成するのであり、目印１１を明渠４の水田の中央側部分に沿って連続的又は所定間隔を置いて形成する。
この場合、横長の平板材を使用したり、田面１の泥を横長の土手状に形成して、目印１１により横長の壁を形成することにより、水面２の波が明渠４に流れ込む状態が目印１１によって防止されるのであり、水面１の波と一緒に泥が明渠４に流れ込む状態が目印１１によって防止される。
【００４８】
［発明の実施の第２別形態］
前述の［発明を実施するための形態］［発明の実施の第１別形態］の表面播き状態において、種籾６を田面１に連続的に置くように播く条播状態としてもよい。
鉄コーティング処理された種籾６に代えて、カルパコーティング処理された種籾６を使用する場合には、作溝器により田面１に小さく浅い溝を形成しながら、この溝に種籾６を点播状態又は条播状態で送り込んで播いていき、種籾６に対して覆土を行う。
前項［３］に記載の第１所定期間と、前項［４］に記載の第２所定期間において、本発明を実施する地方や日程が異なれば、第１及び第２所定期間が同じ長さになったり、第１所定期間が第２所定期間よりも長くなったりすることがある。
【００４９】
［発明の実施の第３別形態］
前述の［発明を実施するための形態］［発明の実施の第１別形態］［発明の実施の第２別形態］において、溝形成工程を第１工程の前に行ってもよく、第１工程と同時（第１工程中）や第１工程の後に行ってもよい。
【００５０】
溝形成工程を第１工程の前に行う場合、代掻き作業の後で第１工程の前に、溝形成装置により排水用の溝５を形成してもよい。第１工程の前に溝形成工程を行う場合、明渠形成工程と同時や、明渠形成工程の前又は後に溝形成工程を行う。
【００５１】
溝形成工程を第１工程と同時（第１工程中）に行う場合、種籾６を播きながら排水用の溝５を同時に形成するのではなく、第１工程中において水田を落水してから種籾６を播く前や、種籾６を播いた後で第２工程の前に、直播装置とは別の溝形成装置により排水用の溝５を形成してもよい。
【００５２】
溝形成工程を第１工程の後に行う場合、第２工程中（第２所定期間中）、第３工程中（種籾６の発芽前や発芽後）、第４工程中、第４工程以後に溝形成装置により排水用の溝５を形成してもよい。
【００５３】
明渠形成装置及び溝形成装置として、明渠４及び排水用の溝５を形成することができる１輪式の溝切機（（株）丸山製作所の商品名：田面ライダー）を使用してもよい。この場合、明渠４が形成されていない部分の明渠４の形成、明渠４の崩れた部分の修復等の作業も、１輪式の溝切機によって行うことができる。
【００５４】
［発明の実施の第４別形態］
前述の［発明を実施するための形態］［発明の実施の第１別形態］〜［発明の実施の第３別形態］において、明渠４の複数箇所に部分的に深い部分を形成して、この深い部分に餌（キャベツの葉等）を入れておき、貝類を明渠４の餌の在る部分に誘導するようにしてもよい。
【００５５】
［発明の実施の第５別形態］
前述の［発明を実施するための形態］［発明の実施の第１別形態］〜［発明の実施の第４形態］において、明渠４を一定の深さではなく、一方向に少しずつ深くなるように構成してもよい。
このように構成すると、貝類を明渠４の一箇所に誘導することができ、畦３からの貝類の回収が容易に行える。特に前述の［発明の実施の第４別形態］に記載のように、明渠４に餌の在る部分を設定した場合、明渠４の餌のある部分に近づくほど少しずつ深くなるように形成すると、貝類を明渠４の餌の在る部分にさらに良く誘導することができる。
【００５６】
［発明の実施の第６別形態］
前述の［発明を実施するための形態］［発明の実施の第１別形態］〜［発明の実施の第５形態］において、排水用の溝５を一定の深さではなく、少しずつ深くなりながら明渠４に接続されるように構成してもよい。このように構成すると、水田を落水する場合、排水用の溝５から明渠４への水の流れが一方向になるので、水田の中央側に侵入した貝類を排水用の溝５から明渠４に誘導し易い。
【００５７】
［発明の実施の第７別形態］
前述の［発明を実施するための形態］［発明の実施の第１別形態］〜［発明の実施の第６形態］において、取水路１０と明渠４との接続部分を明渠４よりも深いものに形成し、貝類が水路９から取水路１０を介して水田（明渠４）に侵入しようとしても、貝類を明渠４に加えて前述の接続部分でも止めるようにしてもよい。
この場合に、取水路１０を排水路に兼用してもよい。取水路１０とは別の排水路を明渠４に接続する場合、排水路と明渠４との接続部分を明渠４よりも深いものに形成してもよい。
【００５８】
［発明の実施の第８別形態］
前述の［発明を実施するための形態］［発明の実施の第１別形態］〜［発明の実施の第７形態］において、明渠４及び排水用の溝５を以下のように形成してもよい。
図１１に示すように、畦塗り作業及び明渠４の形成を行い、この後にかん水状態での代掻き作業を行って、この後に水田の落水を行った後、専用の溝形成装置により水田の長手方向に沿って多数の排水用の溝５を形成する。次に排水用の溝５と交差する方向に複数の排水用の溝７を、明渠４の近くや明渠４から離れた田面１の中央側に形成する。
【００５９】
図１２に示すように、畦塗り作業及び明渠４の形成を行い、この後にかん水状態での代掻き作業を行い、水田の落水を行うと、明渠保護部８（図２，９，１０参照）を設定していても、代掻き作業により明渠４が少し崩れて埋まった状態となることがあるのであり、この状態において専用の溝形成装置により水田の長手方向に沿って多数の排水用の溝５を形成する。次に排水用の溝５と交差する方向に複数の排水用の溝７を、明渠４の近くや明渠４から離れた田面１の中央側に形成する。
【００６０】
図１１及び図１２において、排水用の溝７は溝５のように多数形成する必要はない。排水用の溝５，７は等ピッチで形成する必要はなく、落水状態において田面１に水が残っている部分を通過するように形成してもよい。このように排水用の溝５，７を形成すると、排水用の溝５，７は等ピッチに配置される状態ではなくなる。排水用の溝５と溝７とが交差する部分において、排水用の溝５，７が崩れている場合には、作業者が手作業で排水用の溝５と溝７とがつながるように修復する。
【００６１】
前述のように排水用の溝５，７を形成した後に、乗用型直播機の直播装置に除草剤散布用の薬剤散布装置を備えて、種籾６を播きながら田面１への除草剤の散布を行う。この場合に、排水用の溝５，７により田面１から水が十分に排水された状態で種籾６が播かれるので、種籾６への酸素の供給が水により妨げられることがなく、種籾６の発芽率が向上する。
【産業上の利用可能性】
【００６２】
本発明は、水田において播種作業や植付作業を行う場合、貝類による被害（食害）を防止する水田における貝類の被害防止方法に適している。
【符号の説明】
【００６３】
１    田面
４    明渠
６    種籾
８    明渠保護部
１１  目印、明渠保護部
Ａ１  明渠から水田中央側に所定距離だけ離れた位置
【図１】
2014090668.tif 000003
【図２】
2014090668.tif 000004
【図３】
2014090668.tif 000005
【図４】
2014090668.tif 000006
【図５】
2014090668.tif 000007
【図６】
2014090668.tif 000008
【図７】
2014090668.tif 000009
【図８】
2014090668.tif 000010
【図９】
2014090668.tif 000011
【図１０】
2014090668.tif 000012
【図１１】
2014090668.tif 000013
【図１２】
2014090668.tif 000014